(57)【要約】【課題】扇形表示部での読取性に優れ、かつ製造コストを削減できる時計の提供。【解決手段】時計を、ステッピングモーターにより輪列を介して回転駆動されるカム３３と、カム３３に当接し、カム３３の回転によって回動する日表示レバー３５と、日表示レバー３５の歯車部３８に噛合する指示車３９と、指示車３９に取り付けられて回動する日表示針１４と、日表示針１４の回動中心が扇中心点近傍に設けられる扇形の日表示部６とを備えて構成し、表示部６には、１日の単位期間で形成される３１日間の所定の期間を１周期（１カ月）として当該１周期分の目盛りを弧に沿って１日毎に設け、目盛り１９を、３１日分を２分割に分割した際の１６日分に対応して設けるとともに、同一の目盛り１９に対して１５日離れた２日分の異なる指示内容を付与し、カム３３を、３１日分を回転する間に日表示針１４が同一の目盛り１９を２回指示するように設定した。【選択図】図２
2010216988.tif 000002
【特許請求の範囲】
【請求項１】
駆動源により回転駆動されるカムと、
前記カムに当接し、当該カムの回転によって回動するレバーと、
前記レバーに設けられた歯車部に噛合する指示車と、
前記指示車に取り付けられて回動する指示部材と、
前記指示部材の回動中心が扇中心点近傍に設けられる扇形表示部とを備え、
前記扇形表示部には、複数の単位期間で形成される所定の期間を１周期として当該１周期分の目盛りが弧に沿って前記単位期間毎に設けられ、
前記目盛りは、前記１周期分を２分割以上に分割した単位期間数に対応して設けられているとともに、同一の目盛りに対して複数の異なる指示内容が付与されており、
前記カムは、前記１周期分を回転する間に、前記指示部材が前記同一の目盛りを複数回指示するように設定されている
ことを特徴とする時計。
【請求項２】
請求項１に記載の時計において、
前記カムは少なくとも第１、第２切り下げ部と、第２切り下げ部の底部と第１切り下げ部の頂部とにわたって形成される第１レバー摺動面と、第１切り下げ部の底部と第２切り下げ部の頂部とにわたって形成される第２レバー摺動面とを有した板カムである
ことを特徴とする時計。
【請求項３】
請求項２に記載の時計において、
前記カムの回転中心から前記第１切り下げ部の頂部までの距離と前記第２切り下げ部の頂部までの距離とが異なっている
ことを特徴とする時計。
【請求項４】
請求項２または請求項３に記載の時計において、
前記カムの回転中心から前記第１切り下げ部の低部までの距離と前記第２切り下げ部の低部までの距離とが異なっている
ことを特徴とする時計。
【請求項５】
請求項１に記載の時計において、
前記カムは、前記指針が前記扇形表示部を往復動するとともに、往動時および復動時にそれぞれ前記同一の目盛りを指示するように設定された偏心板カムである
ことを特徴とする時計。
【請求項６】
請求項１ないし請求項５のいずれかに記載の時計において、
前記扇形表示部が設けられる文字板は、前記カムの一部が視認される開口部を備え、前記カムには前記開口部から視認される表示マークが設けられている
ことを特徴とする時計。
【請求項７】
請求項１ないし請求項６のいずれかに記載の時計において、
前記単位期間は１日であり、前記所定の期間である１周期は３１日であり、前記目盛りは、前記３１日を１５日にと１６日とにと２分割したうち、１６日分に対応して設けられている
ことを特徴とする時計。
【発明の詳細な説明】
【技術分野】
【０００１】
本発明は、時計に係り、特に扇形（レトロ）表示部を備えた時計に関する。
【背景技術】
【０００２】
従来の腕時計において、文字板の内部に扇形の表示部を設け、この表示部に月曜、火曜、水曜…日曜などの曜を７つの目盛りにて指針表示するものが知られている（例えば、特許文献１，２）。
【０００３】
特許文献１に記載の時計では、切り下げ部を有した１周１サイクルの板カムと、このカムによって作動する作動レバーと、作動レバーの外周に刻設された歯車部に噛合する指示車と、指示車に取り付けられた指針とを備え、扇形の表示部内で指針が往復動する。すなわち、円弧に沿って記された月曜から日曜の目盛りを指針が１日単位で送られて指示し、月曜から日曜まで指示した後には、カムが一周することになって指針が一気に月曜まで戻り、月曜からの表示を再度繰り返す。
【０００４】
特許文献２に記載の時計では、切り下げ部を２箇所に有した１周２サイクルのカムが用いられている他は、特許文献１と同じ構成である。この場合には、カムと一体に設けられた曜車の歯数が１４枚となるため、曜送り爪による送り量が小さく、一日送る分の駆動トルクが小さくてすむというメリットがある。
【先行技術文献】
【特許文献】
【０００５】
【特許文献１】特開２００６−２２６９９０号公報
【特許文献２】再特表２００６−０６４５５７号公報
【発明の概要】
【発明が解決しようとする課題】
【０００６】
しかしながら、扇形の表示部において、その円弧角は通常１２０°以下とされる場合が多く、曜表示のように月曜から日曜までの７つの目盛りを記す程度であれば、１目盛りの間隔が２０°程度と大きいため、指針による表示位置が明確となるが、例えば１〜３１日までの日表示の場合では、１２０°を３０分割することで約４°となるため、１目盛りの間隔が小さく、指針がいずれの目盛りを指示しているかが読み取りにくいという問題がある。
また、目盛り間隔が狭いために、指示ズレの許容範囲が極端に小さく、部品の高い加工精度や加工技術が要求され、一部の高価な時計にしか採用できないという問題がある。
【０００７】
本発明の目的は、扇形表示部での読取性に優れ、かつ製造コストを削減できる時計を提供することにある。
【課題を解決するための手段】
【０００８】
本発明の時計は、駆動源により回転駆動されるカムと、前記カムに当接し、当該カムの回転によって回動するレバーと、前記レバーに設けられた歯車部に噛合する指示車と、前記指示車に取り付けられて回動する指示部材と、前記指示部材の回動中心が扇中心点近傍に設けられる扇形表示部とを備え、前記扇形表示部には、複数の単位期間で形成される所定の期間を１周期として当該１周期分の目盛りが弧に沿って前記単位期間毎に設けられ、前記目盛りは、前記１周期分を２分割以上に分割した単位期間数に対応して設けられているとともに、同一の目盛りに対して複数の異なる指示内容が付与されており、前記カムは、前記１周期分を回転する間に、前記指示部材が前記同一の目盛りを複数回指示するように設定されていることを特徴とする。
【０００９】
本発明によれば、１周期が多くの単位期間で形成される場合でも、１周期を複数に分割し、この分割した単位期間数に対応した数の目盛りが設けられるから、目盛りの数を減らすことができ、目盛り間の間隔を大きくできて指示部材による指示を見易くでき、読み取り間違いを防止できる。また、目盛り間隔が大きいことで、部材の製造上の精度等を必要以上に高くする必要がなく、製造コストを抑えることができる。
この際に本発明では、同一の目盛りに対して複数の異なる指示内容を付与し、カムが１周期分を回転する間に指示部材が該同一の目盛りを複数回指示するので、目盛りの数を減らしたとしても、読み取りできなくなる単位期間はなく、不都合が生じることはない。
【００１０】
本発明の時計において、前記カムは少なくとも第１、第２切り下げ部と、第２切り下げ部の底部と第１切り下げ部の頂部とにわたって形成される第１レバー摺動面と、第１切り下げ部の底部と第２切り下げ部の頂部とにわたって形成される第２レバー摺動面とを有した板カムであってもよい。
このような本発明では、指示部材の動きとして先ず、弧に沿って配置された目盛りの基端側から先端側に向かいながら単位期間の指示を行い、先端側を指示した後に一気に基端側に反転して戻り、再度基端側から先端側に向けて再度単位期間の指示を始めることになる。
【００１１】
本発明の時計において、前記カムが少なくとも一対の切り下げ部および第１、第２レバー摺動面を有した板カムである場合、前記カムの回転中心から前記第１切り下げ部の頂部までの距離と前記第２切り下げ部の頂部までの距離とが異なっていてもよい。
このような本発明では、弧に沿った先端側において、基端側に戻る直前の指示位置を、指示部材にて指示するたびに変更できる。
【００１２】
本発明の時計において、前記カムが少なくとも一対の切り下げ部および第１、第２レバー摺動面を有した板カムである場合、前記カムの回転中心から前記第１切り下げ部の低部までの距離と前記第２切り下げ部の低部までの距離とが異なっていてもよい。
このような本発明では、弧に沿った基端側において、基端側に戻った直後の指示位置を、指示部材にて指示するたびに変更できる。
【００１３】
本発明の時計において、前記カムは、前記指針が前記扇形表示部を往復動するとともに、往動時および復動時にそれぞれ前記同一の目盛りを指示するように設定された偏心板カムであってもよい。
このような本発明では、指示部材の動きとして先ず、弧に沿って配置された目盛りの基端側から先端側に向かいながら単位期間の指示を行い、先端側を指示した後には、先端側から基端側に戻りながら単位期間の指示を行うことになる。
【００１４】
本発明の時計において、前記扇形表示部が設けられる文字板は、前記カムの一部が視認される開口部を備え、前記カムには前記開口部から視認される表示マークが設けられていることが好ましい。
目盛りに複数の異なる表示内容が付与されている場合、指示している目盛りの表示内容が、複数の表示内容のうちいずれであるかがわかりにくい。これに対して本発明では、カムに表示マークを設けるので、この表示マークを開口部から視認できる場合と視認できない場合とで場合分けでき、目盛りの表示内容を確実に見分けることができる。
【００１５】
本発明の時計において、前記単位期間は１日であり、前記所定の期間である１周期は３１日であり、前記目盛りは、前記３１日を１５日にと１６日とにと２分割したうち、１６日分に対応して設けられていることを特徴とする。
このような本発明では、１ヶ月の１日単位による日表示を読み取り間違いのないよう確実に行える。
【発明の効果】
【００１６】
本発明の時計によれば、扇形表示部での目盛り間隔を十分に大きくできて、目盛りを読み取り易くでき、かつ安価に製造できるという効果がある。
【図面の簡単な説明】
【００１７】
【図１】本発明の一実施形態に係る時計の文字板を竜頭および操作ボタンと共に示した平面図。
【図２】前記文字板に設けられた円弧表示部を拡大して示す平面図。
【図３】前記時計に用いられるムーブメントの輪列構成を示す平面図。
【図４】前記時計の要部を示す断面図。
【図５】前記時計の他の要部を示す断面図。
【図６】前記時計に設けられるカムを拡大して示す平面図。
【図７】本発明の変形例を示す平面図。
【図８】本発明の他の変形例を示す平面図。
【発明を実施するための形態】
【００１８】
〔表示部分の説明〕
以下、本発明の一実施形態を図面に基づいて説明する。
図１は、本実施形態に係る時計１の文字板２を竜頭３および操作ボタン４と共に示す平面図である。図２は、文字板２に設けられた扇形表示部としての日表示部６を拡大して示す平面図である。
【００１９】
図１において、時計１の文字板２には、通常時刻を１２時間表示で表示する目盛り５が周縁に沿って設けられている。加えて文字板２の３時位置には、１〜３１日の日付を示す日表示部６が設けられ、６時位置には目盛りの図示を省略するが、それぞれ円形の２４時間表示部７および曜表示部８が同軸上に設けられ、９時位置にはパワーリザーブ表示部９が設けられ、１２時位置には月齢表示部１０が設けられている。その他、図１において、符号１１〜１６はそれぞれ、秒針、分針、時針、日表示針、２４時表示針、および曜表示針である。
【００２０】
ここで、本実施形態の時計１は、回転錘、回転錘の回転によって発電する発電機、発電機で発電された電気エネルギーで駆動される制御回路、制御回路からの駆動パルスで駆動される駆動源としての第１ステッピングモーターを備えた電子時計であり、このステッピングモーターにより五番車、および秒針１１が取り付けられる四番車１７（図４，５）以下の輪列を駆動するように構成されている。ただし、このような構成は既に知られているため、ここでの図示および説明を省略する。そして、本発明は、このような電子時計に適用される他、機械時計や電子制御式機械時計にも適用できる。
【００２１】
また、時計１は、第２ステッピングモーターを備えており、この第２ステッピングモーターによりパワーリザーブ表示部９に設けられたパワーリザーブ針１８の表示車が駆動される。このようなパワーリザーブ表示部９は、発電機で発電された電気エネルギーの充電量を時計１の持続時間や持続日数として表示する部分であり、充電量に応じた駆動パルスが制御回路から出力され、対応した目盛り上でパワーリザーブ針１８が保持される。このような充電量を表示させる構成も本発明に直関係するものではないため、ここでの図示および説明を省略する。
【００２２】
図２において、扇形の日表示部６には、円弧に沿った１６個の目盛り１９が設けられている。目盛り１９のそれぞれは１日を単位期間として付されており、図中の下側から５日置きに大きな目盛り１９Ａ，１９Ｂ，１９Ｃが付されている。１つ目の大きな目盛り１９Ａは「５日」および「２０日」を示し、目盛り１９Ｂは「１０日」および「２５日」を示し、目盛り１９Ｃは「１５日」および「３０日」を示す。
【００２３】
このことから理解できるように、目盛り１９のうち、図中の最も下方（基端側）にある目盛り１９Ｄは「１日」および「１６日」を示すことになり、上方（先端側）に向けて順に「２日」および「１７日」、「３日」および「１５日」…を示すものとなっている。つまり、同一の目盛り１９には、１５日離れた異なる２種類の日付の指示内容が付与されているのである。なお、図中の最も上側にある目盛り１９Ｅは「３１日」のみを示す。
【００２４】
このような日表示部６において、指示部材としての日表示針１４は、月初めに目盛り１９Ｄの「１日」を指示し、１日経過毎に右回りに（上方に）回動して「２日」「３日」「４日」…を指示し、１５日目に目盛り１９Ｃの「１５日」を指す。次いで、１６日目には左回りに（下方に）一気に回動し、目盛り１９Ｄに戻って「１６日」を指示し、さらに１日経過毎に上方に回動して「１７日」「１８日」「１９日」…を指示し、最後に目盛り１９Ｅの「３１日」を指示する。この後、再度一気に左回りに回動して目盛り１９Ｄに戻り、「１日」を指すようになる。以上が日表示針１４の１周期、つまり１ヶ月の動作である。
【００２５】
従って、日表示部６の円弧角が約１２０°とされている本実施形態では、日付の表示領域の全体が目盛り１９によって１５分割されていることから、隣接する目盛り１９間の角度は約８°になっている。１２０°を３０分割した場合の４°と比較すると２倍の角度であり、格段に読み取り易く、読み取り間違いを防止できる。しかも、３６０°を約６０分割した６°が秒針１１による１秒毎の目盛り間隔であり、この間隔よりも大きいことからも、読み取り易いことがわかる。
【００２６】
〔ムーブメントの説明〕
以下には先ず、２４時表示針１５、曜表示針１６の各動作、および月齢表示のためのムーブメント構造を説明し、さらに、日表示針１４を動作させる構造を図２ないし図５に基づいて説明する。
【００２７】
図３は、時計１に用いられるムーブメントの輪列構成を示す平面図である。図４は、時計１の要部を示す断面図、図５は、時計１の他の要部を示す断面図である。
図４および図５において、前記第１ステッピングモーターにより五番車（図示略）を介して駆動される四番車１７の回転は、三番車（図示略）を介して分針１２が取り付けられる二番車２０に伝達され、１／６０に減速される。二番車２０の回転は、日の裏車５８を介して時針１３が取り付けられる筒車２１に伝達され、１／１２に減速される。
【００２８】
筒車２１の回転は、図３中に２点鎖線で示すように、２４時中間車２２を介して２４時表示車２３に伝達され、１／２に減速される。従って、２４時表示車２３は１日に１回転する。この２４時表示車２３には、２４時表示針１５が取り付けられる。
【００２９】
一方、筒車２１の回転は、曜回し車２４に伝達され、１／２に減速される。従って、曜回し車２４も１日に１回転する。曜回し車２４には一対の曜送り爪２５が設けられ、この曜送り爪２５により、６時位置に２４時表示車２３と同軸上に配置された曜表示車２６が回される。つまり曜表示車２６は１４枚の歯を有し、１日に２歯分だけ曜送り爪２５で送られ、７日で１回転する。曜表示車２６には曜表示針１６が取り付けられる。
【００３０】
他方、筒車２１の回転は、月齢回し車２７に伝達され、１／２に減速される。月齢回し車２７も１日に１回転する。月齢回し車２７には月齢送り爪２８が設けられ、この月齢送り爪２８によって１２時位置にある月齢表示車２９が回される。月齢表示車２９は５９枚の歯を有し、１日に１歯分だけ月齢送り爪２８で送られ、５９日で１回転する。月齢表示車２９には、月の満ち欠けを模した図柄が２周期分描かれており、月齢表示部１０（図１）の開口部１０Ａを通して表示される。
【００３１】
図３ないし図５において、筒車２１の回転はさらに、日回し車３０に伝達され、同様に１／２に減速される。従って、日回し車３０も１日に１回転する。日回し車３０には日送り爪３１が設けられ、この日送り爪３１によって日星車３２が回される。日星車３２は３１枚の歯を有し、１日に１歯分だけ日送り爪３１で送られ、３１日（１ヶ月）を１周期として１回転する。また、日星車３２には、一体に回転するカム３３が設けられている。従って、カム３３も３１日を１周期として１回転することになる。
【００３２】
カム３３は、直径方向に対向した一対の切り下げ部３３Ａ，３３Ｂを有する平板カムであり、図６に拡大して示すように、回転中心３４から第１切り下げ部３３Ａの頂部までの距離Ｒ１よりも、第２切り下げ部３３Ｂの頂部までの距離Ｒ２の方がわずかに大きい（Ｒ１＜Ｒ２）。ただし、回転中心３４から第１切り下げ部３３Ａの低部までの距離ｒ１と、第２切り下げ部３３Ｂの底部までの距離ｒ２とは同じである（ｒ１＝ｒ２）。第２切り下げ部３３Ｂの底部から第１切り下げ部３３Ａの頂部までの間は、弧状に形成された第１レバー摺動面３３Ｃとされ、第１切り下げ部３３Ａの底部から第２切り下げ部３３Ｂの頂部までの間は、第２レバー摺動面３３Ｄとされている。
【００３３】
図２において、このようなカム３３には、回動自在に設けられたレバーとしての日表示レバー３５が図示略のバネ部材によって押圧されている。具体的に日表示レバー３５は、略Ｊ字状とされ、その中央位置近傍には、カム３３の第１、第２レバー摺動面３３Ｃ，３３Ｄと当接する当接部３７が突設されている。また、カム３３の回動中心３６とは反対側の円弧状の外周部分には、複数の歯からなる歯車部３８が形成されている。歯車部３８には指示車３９が噛合している。指示車３９には日表示針１４が取り付けられ、日表示針１４が扇形の日表示部６の扇中心近傍を回動中心として回動する。
【００３４】
ここで、カム３３の第２切り下げ部３３Ｂの底部から第１切り下げ部３３Ａの頂部までの径方向の変位は、日表示レバー３５での回動中心３６から当接部３７の先端までの距離と回動中心３６から歯車部３８までの距離の比（レバー比）、および該歯車部３８から指示車３９への増速比の関係から、日表示部６においては、日表示針１４で指示する目盛り１９の１５日分に相当する。反対に、第１切り下げ部３３Ａの底部から第２切り下げ部３３Ｂの頂部までの径方向の変位は、日表示針１４で指示する目盛り１９の１６日分に相当する。ここでの１日分の差は、前述した距離Ｒ１，Ｒ２の差により生じる。
【００３５】
すなわち日表示レバー３５の当接部３７がカム３３の第２切り下げ部３３Ｂの底部にあるとき、日表示針１４は日表示部６の最も下方の目盛り１９Ｄを指示し、「１日」を表示することになる。日星車３２と共にカム３３が１日毎に送られ、当接部３７が第１レバー摺動面３３Ｃに当接されながら第１切り下げ部３３Ａの頂部に向って進む間は、日表示レバー３５が左回りに回動し、指示車３９が右回りに回動し、これに伴って日表示針１４も右回りに回動し、日付の表示を進める。当接部３７が第１切り下げ部３３Ａの頂部に最も近づいた位置において、日星車３２が日ジャンパー４０で保持されたとき、日表示針１４は目盛り１９Ｃを指し、「１５日」を指示する。以上により、月の前半の日付が表示されたことになる。
【００３６】
この後、第１切り下げ部３３Ａの底部に当接部３７が落ちると、日表示針１４は一気に反転回動し、目盛り１９Ｄに戻る。つまり日表示針１４は「１６日」を指すことになる。そして同様に、日星車３２と共にカム３３が１日毎に送られ、当接部３７が第２レバー摺動面３３Ｄに当接されながら第２切り下げ部３３Ｂの頂部に向って進む間は、日表示レバー３５が左回りに回動し、指示車３９が右回りに回動し、これに伴って日表示針１４も右回りに回動し、日付の表示を進める。当接部３７が第２切り下げ部３３Ｂの頂部に最も近づいた位置において、日星車３２が保持されたとき、日表示針１４は目盛り１９Ｅを指し、「３１日」を指示する。以上により、月の後半の日付が表示されたことになる。
【００３７】
この際、カム３３の文字板２側の表面には、半円環状の表示マーク４１が描かれている。表示マーク４１は、例えば日表示部６およびカム３３表面が白色基調である場合、これとは対照的な赤色等で描かれる。表示マーク４１は、日表示針１４が「１６日」を示す位置において、図２に示すように、日表示部６に設けられた開口部６Ａから半分ほど視認可能とされ、「３１日」を表示する迄の間、カム３３の回動を伴って開口部６Ａいっぱいに視認されることになる。従って、開口部６Ａを通して表示マーク４１が見えている間は、日表示針１４で表示される日付が月の後半であると判断でき、１つの目盛り１９で月の前半の日付と後半の日付を表示する場合でも、読み取り間違いを防止できる。
【００３８】
なお、以上に加えて、日表示部６に描かれている月後半の日付「２０」「２５」「３０」の文字色をも表示マーク４１と同色にすることで、月の前半を指しているのか、あるいは後半を指しているのかを一層読み取り易くできる。
【００３９】
〔表示の修正〕
先ず、日表示および曜表示の修正を行うカレンダー修正輪列５０について説明する。
カレンダー修正輪列５０は、図３、図５に示すように、小鉄車４４と一体に回転するカレンダー修正伝え車５１と、このカレンダー修正伝え車５１に噛合する第２カレンダー修正伝え車５２と、この第２カレンダー修正伝え車５２に噛合して回動軸が移動自在に設けられた第３カレンダー修正伝え車５３と、第３カレンダー修正伝え車５３の一方への回転時に該伝え車５３に噛合する日修正伝え車５４と、第３カレンダー修正伝え車５３の他方への回転時に該伝え車５３に噛合する曜修正伝え車５５と、曜修正伝え車５５に噛合する第２曜修正伝え車５６とを備えている。日修正伝え車５４は、日星車３２に噛合している。第２曜修正伝え車５６は、曜表示車２６に噛合している。
【００４０】
竜頭３を操作して０段位置から１段目の位置に段引きし、巻真４５を一方向に回転させると、この回転がつづみ車５９を介して小鉄車４４、カレンダー修正伝え車５１、および第２カレンダー修正伝え車５２を介して第３カレンダー修正伝え車５３に伝達され、この第３カレンダー修正伝え車５３が図３中の右方向に回転する。第３カレンダー修正伝え車５３が右回転すると、該第３カレンダー修正伝え車５３と日修正伝え車５４とが噛合し、回転がこれらを介して日星車３２に伝達される。この際の日星車３２の回転方向は、カム３３に当接される日表示レバー３５の回動が許容される方向である。従って、最終的に回転は日表示レバー３５から指示車３９に伝達され日表示針１４を回動させる。よって、１段引きされた竜頭３を一方向に回転操作することで、日表示針１４による日表示が修正される。
【００４１】
一方、１段引きされた竜頭３を他方向に回転させると、巻真４５、つづみ車５９、小鉄車４４、カレンダー修正伝え車５１、および第２カレンダー修正伝え車５２を介して第３カレンダー修正伝え車５３に伝達され、この第３カレンダー修正伝え車５３が図３中の左方向に回転する。第３カレンダー修正伝え車５３が左回転すると、該第３カレンダー修正伝え車５３が移動して曜修正伝え車５５に噛合し、回転がこれらを介して第２曜修正伝え車５６および曜表示車２６に伝達され、曜ジャンパー５７を越えて曜表示車２６が回されることで曜表示針１６による表示が修正される。
【００４２】
次に、時刻修正について説明する。
図５において、竜頭３を操作して２段目の位置に段引きすると、おしどり４６の動作により切換レバー４７が移動し、小鉄車４４が第１日の裏中間車４８に噛合し、竜頭３の回転が、巻真４５、つづみ車５９、小鉄車４４、第１日の裏中間車４８を介して第２日の裏中間車４９に伝達される。この第２日の裏中間車４９は日の裏車５８に噛合している。従って、竜頭３の回転は最終的に、日の裏車５８を介して二番車２０および筒車２１に伝達され、分針１２および時針１３による時刻表示が修正される。
【００４３】
最後に、月齢修正について説明する。
図３において、時計１には、月齢修正レバー６０が設けられている。月齢修正レバー６０には、月齢表示車２９の歯に当接される先端部６１が設けられ、一体のバネ部６２により月齢表示車２９から離間する方向に付勢されている。月齢修正レバー６０の基端側には押圧部６３が設けられ、この押圧部が図１に示す操作ボタン４により外部から押圧される。このような月齢修正レバー６０は、回動中心６４を中心として回動する。
月齢表示を修正する場合には、操作ボタン４を押圧操作して月齢修正レバー６０の押圧部６３を押圧する。すると月齢修正レバー６０がバネ部６２のバネ力に抗して回動し、その先端部６１が月齢表示車２９の歯を送り、月齢ジャンパー６５を越えて月齢表示車２９を回動させる。以上により、月齢表示車２９による月齢表示が修正される。
【００４４】
〔実施形態の効果〕
以上説明した本実施形態によれば、以下の効果がある。
時計１の日表示部６では、１日を１単位期間とし、３１日分の単位期間により１周期である１ヶ月分の日付を表示するのであるが、１周期が３１日といった多くの単位期間で形成される場合でも、１周期を２分割し、この２分割したうちの１６日分の単位期間数に対応した１６個の目盛り１９が設けられていればよいので、３１個の目盛りを設けるよりも目盛り１９間の間隔を大きくでき、日表示針１４による指示を見易くできて、読み取り間違いを防止できる。また、目盛り間隔が大きいことで、日星車３２やカム３３の製造上の精度等を必要以上に高くする必要がなく、製造コストを抑えることができる。
【００４５】
また、本実施形態の時計１では、カム３３として一対の切り下げ部３３Ａ，３３Ｂおよび第１、第２レバー摺動面３３Ｃ，３３Ｄを有した板カムを採用しているため、日表示針１４の動きとして先ず、下方の目盛り１９Ｄ側から上方の目盛り１９Ｃ側に向かいながら１日〜１５日までの指示を行い、１５日を指示した後に一気に目盛り１９Ｄに反転して戻り、再度目盛り１９Ｄの意味する１６日目から目盛り１９Ｅの意味する３１日目側に向けて再度日付の指示を始めることができる。
【００４６】
そして、本実施形態で用いられるカム３３では、回転中心３４から第１切り下げ部３３Ａの頂部までの距離Ｒ１よりも、第２切り下げ部３３Ｂの頂部までの距離Ｒ２の方がわずかに大きいので、１〜１５日までの指示を目盛り１９Ｄ〜１９Ｃまでの１５目盛りで行え、次の１６〜３１日までの指示を目盛り１９Ｄ〜１９Ｅまでの１６目盛りで行うことができる。従って、３１日分を２分割して異なる日数（１５日と１６日）に分割した場合でも、目盛り１９Ｃ，１９Ａ側での指示位置を、日表示針１４で表示するたびに変更することで、両方の分割日数に対して確実に対応できる。
【００４７】
本実施形態では、カム３３の表面に表示マーク４１が設けられているので、前述したように、開口部６Ａから表示マーク４１を視認できる場合と、できない場合とで場合分けでき、目盛り１９を指示した際に、日付として月の前半の日付を表示しているのか、あるいは月の後半の日付を表示しているのかを容易に見分けることができる。
【００４８】
なお、本発明は以上に説明した実施形態に限定されるものではなく、以下に記載の変形例も含まれる。
例えば、前記実施形態では、回転中心３４から第１切り下げ部３３Ａの頂部までの距離Ｒ１と、第２切り下げ部３３Ｂの頂部までの距離Ｒ２との大きさが異なっていたが、これらの距離Ｒ１，Ｒ２を同じにし、回転中心３４から第１切り下げ部３３Ａの低部までの距離ｒ１を、第２切り下げ部３３Ｂの底部までの距離ｒ２よりも小さくしてもよい（ｒ１＜ｒ２）。
【００４９】
このような構成では、図７に示すように、図中最も下方側に設けられた目盛り１９Ｄが「１６日」のみを表示することになり、「１日」は２番目に設けられた目盛り１９Ｆで表示され、「５日」が目盛り１９Ｇで表示される。そして、図中の最も上方側に設けられた目盛り１９Ｅにより「１５日」と「３１日」とが表示されることになる。つまり、各切り下げ部３３Ａ，３３Ｂの頂部での距離Ｒ１，Ｒ２が同じ大きさであることから、底部に落ちる直前の位置を同じにでき、目盛り１９Ｅに異なる日付を付与でき、逆に月の後半の初めである「１６日」を目盛り１９Ｄに単独で付与できる。
【００５０】
また、図示を省略するが、距離Ｒ１，Ｒ２の大きさを異ならせ、かつ距離ｒ１，ｒ２の大きさも異ならせることにより、３１日を１４日と１７日とに２分割した場合に対応させてもよい。
【００５１】
前記実施形態では、本発明のカムとして第１、第２切り下げ部３３Ａ、３３Ｂおよび第１、第２レバー摺動面３３Ｃ，３３Ｄを有した板カム３３が採用されていたが、図８に示すように、そのような切り下げ部が設けられていない偏心板カム４２を採用してもよい。偏心板カム４２は、外周形状が略円形であるが、その中心は回転中心３４に対して偏心している。
【００５２】
このような構成によると、日表示針１４は目盛り１９Ｄから目盛り１９Ｅまで進んだ後、目盛り１９Ｅから目盛り１９Ｄに向けて往復動するようになる。従って、日表示部６の目盛り１９にあてがわれる日付としては、目盛り１９Ａに「５日」が、目盛り１９Ｂに「１０日」が、目盛り１９Ｃに「１５日」が、目盛り１９Ｈに「２０日」が、目盛り１９Ｉに「２５日」が、目盛り１９Ｊに「３０日」が割り当てられることになる。
【００５３】
ところで、このような構成では、目盛り１９Ｄにあって月の切換時には、「３１日」を指示しているのか、「１日」を指示しているのかがわかりにくい。なおかつ「３１日」と「１日」との２日間は、同じ目盛り１９Ｄを指示することから、日表示針１４を全く動かないようにすることが望まれる。
【００５４】
このため、偏心板カム４２では、月の前後半を区分けするための表示マーク４１が設けられる他、回転中心３４を中心とした真円からなるレバー摺動面４３が「３１日」と「１日」との連続した２日分に対応して設けられる。レバー摺動面４３が真円を形成することで、カム４２のリフト量差がゼロとなり、カム４２自身は回転して表示マーク４１による表示は切り換わるのであるが、日表示針１４としては動きがなく、目盛り１９Ｄを指示した状態に維持できる。
【００５５】
以上の他、前記実施形態では、日星車３２の歯数を７枚とし、カム３３を第１、第２切り下げ部３３Ａ，３３Ｂおよび第１、第２レバー摺動面３３Ｃ，３３Ｄが設けられた形状としたが、日星車の歯数を１４枚とし、第１〜第４切り下げ部および第１〜第４レバー摺動面を有した形状等であってもよい。このような形状のカムでは、カム１回転で２ヶ月分（２周期）分を指示することになり、カム１回転で同じ目盛り１９を４回指示することになる。
【００５６】
前記実施形態では、３１日を２分割して１６日と１５日とに２分割したが、１１日、１０日、１０日のように３分割してもよく、このような場合には、７枚の歯を有した日星車３２をそのまま使用するとともに、第１〜第３切り下げ部および第１〜第３レバー摺動面を有した形状の板カムを用いればよい。
【００５７】
前記実施形態では、所定の期間として３１日（１ヶ月）について説明したが、２４時間を所定の時間として、単位期間を１時間としてもよい。円弧角を１２０°とすると２４時間表示の場合、１目盛りの間隔は約５°であるが、本発明を適用して２４時間を２分割すれば、１目盛りの間隔を約１０°にでき、見易いものにできる。
なお、扇形表示部での円弧角も、前記実施形態での１２０°に限定されず、その実施にあたって任意の円弧角の扇表示部を適用できる。
【符号の説明】
【００５８】
１…時計、６…扇形表示部である日表示部、６Ａ…開口部、１４…指示部材である日表示針、１９，１９Ａ〜１９Ｈ…目盛り、３３…板カム、３３Ａ…第１切り下げ部、３３Ｂ…第２切り下げ部、３３Ｃ…第１レバー摺動面、３３Ｄ…第２レバー摺動面、３５…レバーである日表示レバー、３８…歯車部、３９…指示車、４１…表示マーク、４２…偏心板カム、ｒ１，ｒ２，Ｒ１，Ｒ２…距離。
【図１】
2010216988.tif 000003
【図２】
2010216988.tif 000004
【図３】
2010216988.tif 000005
【図４】
2010216988.tif 000006
【図５】
2010216988.tif 000007
【図６】
2010216988.tif 000008
【図７】
2010216988.tif 000009
【図８】
2010216988.tif 000010